【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
ポリマー溶融物から遊離された蒸気の逃散を可能にするように適合された、複数の側面開口部を有する支持構造体並びに
支持構造体内に配置された、ポリマー流を細分割するための供給物スプリッター及び２個又はそれ以上の垂直に配置されたバッフルの列を含んでなり、
２個又はそれ以上の垂直に配置された列が、最高に配置された列、最低に配置された列及び任意的な中間に配置された１個又はそれ以上の列を有し、２個又はそれ以上の垂直に配置された列のそれぞれの列が複数のバッフルを含み、その複数のバッフルが、ポリマー溶融物が複数のバッフルの１個のバッフルに接触したとき、ポリマー溶融物が重力下で下方向に移動するように角度を付けられ、同じ方向に傾いており、そして最低に配置された列以外の、２個又はそれ以上の垂直に配置された列のそれぞれの列が、ポリマー溶融物を、より低い垂直に隣接する列に輸送するように適合されている高い粘度を有するポリマー溶融物を重合するための、竪型重力流駆動重合反応器用のモジュール式アセンブリ。
【請求項２】
２個又はそれ以上の垂直に配置された列のそれぞれの列が複数の実質的に平行なバッフルを含む請求項１に記載のアセンブリ。
【請求項３】
単一の列内の複数のバッフルのそれぞれのバッフルの間の距離が、定常状態運転の間に、ポリマー溶融物がアセンブリを貫通して流れるとき、ポリマー溶融物が水平に隣接するバッフルの間の距離の少なくとも１０％の厚さである請求項１に記載のアセンブリ。
【請求項４】
複数のバッフルのそれぞれのバッフルが、水平面から測定したとき、１０〜８０度の角度で配置されている請求項１に記載のアセンブリ。
【請求項５】
２個又はそれ以上の垂直に配置された列のそれぞれの列が８〜６０個のバッフルを含む請求項１に記載のアセンブリ。
【請求項６】
垂直に配置された列が複数のバッフルを含み、１列内の複数のバッフルのそれぞれのバッフルが１〜１０インチの最小距離で分離されている請求項１に記載のアセンブリ。
【請求項７】
垂直に配置された列が複数のバッフルを含み、１列内の複数のバッフルのそれぞれのバッフルが２〜８インチの最小距離で分離されている請求項１に記載のアセンブリ。
【請求項８】
最低に配置された列以外の２個又はそれ以上の垂直に配置された列のそれぞれの列が、それぞれのバッフルがポリマー溶融物を最も近い下にある垂直に配置されたバッフルに輸送するように、ポリマー溶融物を、より低い垂直に隣接する列に輸送するように適合されている請求項１に記載のアセンブリ。
【請求項９】
ポリマー溶融物を最も近い下にある垂直に配置されたバッフルに輸送するそれぞれのバッフルが、更に、１個又はそれ以上のバッフル延長部を含む請求項８に記載のアセンブリ。
【請求項１０】
１個又はそれ以上のバッフル延長部が、それぞれのバッフルの底縁から伸びている複数のロッド状突起を含み、この突起がポリマー溶融物を最も近い下にある垂直に配置されたバッフルに輸送するように適合されている請求項９に記載のアセンブリ。
【請求項１１】
支持構造体が対面する側面の第一対及び対面する側面の第二対を含み、２個又はそれ以上の垂直に配置されたバッフルの列が対面する側面の第一対の間に配置され、そして複数のバッフルのそれぞれのバッフルが対面する側面の第二対の間に配置されている請求項１に記載のアセンブリ。
【請求項１２】
対面する側面の第二対に、ポリマー溶融物から遊離された蒸気の逃散を可能にするように適合された複数の開口部が含まれている請求項１１に記載の支持構造体。
【請求項１３】
ポリマー溶融物から遊離された蒸気の逃散を可能にするように適合された、複数の開口部が、複数のバッフルの２個の隣接するバッフルの間の隙間に隣接している請求項１２に記載の支持構造体。
【請求項１４】
供給物スプリッターから又は１個又はそれ以上のポリマー入口から流れるポリマー溶融物を分割するように適合された、１個又はそれ以上のポリマー溶融物流分割器を更に含む請求項１に記載のアセンブリ。
【請求項１５】
垂直に配置された格納手段内に配置されている請求項１に記載のアセンブリを含んでなる重合反応器。
【請求項１６】
ａ）ポリマー溶融物を、ポリマー溶融物の重合度を増加させるために十分な温度及び圧力で、アセンブリの中に導入する工程（このアセンブリは供給物スプリッター及び２個又はそれ以上の垂直に配置されたバッフルの列を含み、２個又はそれ以上の垂直に配置された列は最高に配置されたバッフルの列、最低に配置されたバッフルの列及び任意的な中間に配置された１個又はそれ以上のバッフルの列を有し、２個又はそれ以上の垂直に配置された列のそれぞれの列は複数のバッフルを含み、複数の平行なバッフルは、ポリマー溶融物が複数のバッフルの１個のバッフルに接触したときに、ポリマー溶融物が重力下で下方向に移動するように角度を付けられ、同じ方向に傾いており、そして最低に配置された列以外の、２個又はそれ以上の垂直に配置された列のそれぞれの列は、ポリマー溶融物を、より低い垂直に隣接する列に輸送するように適合されている）
ｂ）最高に配置されたバッフルの列をポリマー溶融物と接触させる工程、
ｃ）任意的な中間のバッフルの列をポリマー溶融物と接触させる工程、
ｄ）最低に配置されたバッフルの列をポリマー溶融物と接触させる工程並びに
ｅ）ポリマー溶融物をアセンブリから取り出す工程（ここで、アセンブリから取り出されたポリマー溶融物は、ポリマー溶融物がアセンブリの中に導入されたときよりも高い重合度を有する）
を含んでなるポリマー溶融物中の重合度の増加方法。
【請求項１７】
温度が２５０〜３２０℃である請求項１６に記載の方法。
【請求項１８】
圧力が０．２〜３０トールである請求項１６に記載の方法。
【請求項１９】
２個又はそれ以上の垂直に配置された列のそれぞれの列が複数の本質的に平行なバッフルを含む、請求項１６に記載の方法。
【請求項２０】
複数のバッフルのそれぞれのバッフルの間の距離が、定常状態運転の間に、ポリマー溶融物がアセンブリを貫通して流れるとき、ポリマー溶融物が、水平に隣接するバッフルの間の距離の少なくとも１０％の厚さである請求項１６に記載の方法。
【請求項２１】
最低に配置された列以外の、２個又はそれ以上の垂直に配置された列のそれぞれの列が、それぞれのバッフルがポリマー溶融物を最も近い下にある垂直に配置されたバッフルに輸送するように、ポリマー溶融物を、より低い垂直に隣接する列に輸送するように適合されている請求項１６に記載の方法。
【請求項２２】
ポリマー溶融物を最も近い下にある垂直に配置されたバッフルに輸送するそれぞれのバッフルが１個又はそれ以上のバッフル延長部を更に含む請求項２１に記載の方法。
【請求項２３】
１個又はそれ以上のバッフル延長部が、それぞれのバッフルの底縁から伸びている複数のロッド状突起を含み、この突起がポリマー溶融物を最も近い下にある垂直に配置されたバッフルに輸送する請求項２２に記載の方法。
【請求項２４】
支持構造体が対面する側面の第一対及び対面する側面の第二対を含有する囲いを含み、２個又はそれ以上の垂直に配置されたバッフルの列が対面する側面の第一対の間に配置され、そして複数のバッフルのそれぞれのバッフルが対面する側面の第二対の間に配置されており、そして対面する側面の第二対にポリマー溶融物から遊離された蒸気の逃散を可能にするように適合された複数の開口部が含まれている請求項１６に記載の方法。
【請求項２５】
ポリマー溶融物から遊離された蒸気の逃散を可能にするように適合された、複数の開口部が複数のバッフルの２個の隣接するバッフルの間の隙間に隣接している請求項２４に記載の方法。